(57)【要約】【課題】ユーザが意識せずとも、一度設定された周波数を自動的に記憶することで、以前の通信状態を再現する。【解決手段】無線機１００は、周波数データの増減操作および周波数データの読み出し操作を受け付ける操作部１２０と、無線信号を電気信号に変換し、周波数データが示す周波数に対応する電気信号を抽出する受信回路１１２と、操作部を通じた増減操作に応じて受信回路に用いられている周波数データを変更する周波数変更部１３６と、所定時間の計時を実行するタイマ１２２と、周波数データを保持可能な記憶部１２６と、受信回路に用いられている周波数データが、周波数変更部によって、タイマで計時される所定時間変更されなかった場合、受信回路に用いられている周波数データを記憶部に記憶する記憶制御部１３８と、操作部を通じた読み出し操作に応じて、記憶部に記憶された周波数データを読み出す周波数読出部１４０とを備える。【選択図】図１
2011188420.tif 000002
【特許請求の範囲】
【請求項１】
周波数データの増減操作および周波数データの読み出し操作を受け付ける操作部と、
無線信号を電気信号に変換し、周波数データが示す周波数に対応する電気信号を抽出する受信回路と、
前記操作部を通じた増減操作に応じて前記受信回路に用いられている周波数データを変更する周波数変更部と、
所定時間の計時を実行するタイマと、
周波数データを保持可能な記憶部と、
前記受信回路に用いられている周波数データが、前記周波数変更部によって、前記タイマで計時される所定時間変更されなかった場合、前記受信回路に用いられている周波数データを記憶部に記憶する記憶制御部と、
前記操作部を通じた読み出し操作に応じて、前記記憶部に記憶された周波数データを読み出す周波数読出部と、
を備えることを特徴とする無線機。
【請求項２】
前記記憶制御部は、周波数データを前記記憶部に記憶すると、前記周波数変更部によって変更された周波数データが示す周波数と、前記記憶部に記憶された周波数データが示す周波数との差分が所定の周波数範囲を越えるまで、前記所定時間の計時を進行させないことを特徴とすることを特徴とする請求項１に記載の無線機。
【請求項３】
前記記憶制御部は、前記記憶部に記憶された周波数データが上限数に達している場合、最も過去の周波数データに新たな周波数データを上書きすることを特徴とする請求項１または２に記載の無線機。
【請求項４】
前記記憶制御部は、周波数データと共に電波形式を示すモードデータも前記記憶部に記憶することを特徴とする請求項１から３のいずれか１項に記載の無線機。
【請求項５】
前記操作部は、回動可能なロータリーエンコーダであり、
前記周波数変更部は、ロータリーエンコーダの回転量に基づく変化量で、その回転方向に応じて周波数データが示す周波数を増減することを特徴とする請求項１から４のいずれか１項に記載の無線機。
【請求項６】
無線信号を電気信号に変換し、周波数データが示す周波数に対応する電気信号を抽出し、
ユーザによる増減操作に応じて前記周波数データを変更し、
前記周波数データが所定時間変更されなかった場合、前記周波数データを記憶部に記憶し、
ユーザによる読み出し操作に応じて、前記記憶部に記憶した周波数データを読み出すことを特徴とする無線機の周波数記憶読出方法。
【発明の詳細な説明】
【技術分野】
【０００１】
本発明は、無線信号を電気信号に変換し、任意の周波数に対応する電気信号を抽出する無線機および無線機の周波数記憶読出方法に関する。
【背景技術】
【０００２】
ＡＭ放送、ＦＭ放送といった、予め周波数が定められた電波を受信し、主として音声を出力するラジオ受信機には、受信する周波数を感覚的に調整できるダイヤルや周波数を所定の間隔で上下させるスイッチといった操作部が設けられている。ユーザは当該操作部を操作することで所望する周波数を設定することが可能となる。しかし、ユーザは、過去に受信した周波数をメモリーチャンネルに記憶するといった操作をしていないかぎり、現在設定されている周波数しか把握できない。
【０００３】
このような操作部が設けられたラジオ受信機において、放送局の受信回数をその放送局に対応させて記憶し、受信回数が多い放送局、すなわち、ユーザが頻繁に聴いていると予測される放送局を自動的に選局する技術が公開されている（例えば、特許文献１）。
【先行技術文献】
【特許文献】
【０００４】
【特許文献１】特開２００３−８４００号公報
【発明の概要】
【発明が解決しようとする課題】
【０００５】
特許文献１で示された技術では、対象となる無線信号の周波数が予め定まっており、かつ放送局数も限られているので上述した自動選局を行うことができる。しかし、アマチュア無線通信のように、受信可能な無線信号が広範囲に不特定多数存在し、かつそのような無線信号が不定期に生じているような場合にはかかる特許文献１の技術を適用することができない。また、特許文献１の技術では、過去長期間に渡って受信した回数に基づき周波数が選択されてしまうので、アマチュア無線通信のように、直前に利用していた周波数のみを知りたい場合に、その周波数を抽出することができなかった。
【０００６】
アマチュア無線通信を行う場合、同調操作を通じて目的の無線局を選んでから、または、空いている周波数を探してから、無線通信を開始する周波数を決めている。無線通信を開始する際に、何度も同調操作を繰り返す場合、その途中における周波数等の設定を一時的に保存するため、ユーザは、手動で当該周波数を記憶するための操作入力を行い、周波数を示す周波数データを保存していた。このようにユーザが周波数を記憶するための手動操作入力を随時実行することで、少し前に設定した周波数を再現することが可能となる。しかし、手動の操作入力は煩わしく、また、その操作入力を失念してしまうと、過去に設定した周波数を再現する術が無く、以前の周波数には戻せなくなるといった問題が生じていた。
【０００７】
本発明は、このような課題に鑑み、ユーザが意識せずとも、一度設定された周波数を自動的に記憶することで、以前の通信状態を再現することが可能な無線機および無線機の周波数記憶読出方法を提供することを目的としている。
【課題を解決するための手段】
【０００８】
上記課題を解決するために、本発明の無線機は、周波数データの増減操作および周波数データの読み出し操作を受け付ける操作部と、無線信号を電気信号に変換し、周波数データが示す周波数に対応する電気信号を抽出する受信回路と、操作部を通じた増減操作に応じて受信回路に用いられている周波数データを変更する周波数変更部と、所定時間までの計時を実行するタイマと、周波数データを保持可能な記憶部と、受信回路に用いられている周波数データが、周波数変更部によって、タイマで計時される所定時間変更されなかった場合、受信回路に用いられている周波数データを記憶部に記憶する記憶制御部と、操作部を通じた読み出し操作に応じて、記憶部に記憶された周波数データを読み出す周波数読出部と、を備えることを特徴とする。
【０００９】
記憶制御部は、周波数データを記憶部に記憶すると、周波数変更部によって変更された周波数データが示す周波数と、記憶部に記憶された周波数データが示す周波数との差分が所定の周波数範囲を越えるまで、所定時間の計時を進行させないとしてもよい。
【００１０】
記憶制御部は、記憶部に記憶された周波数データが上限数に達している場合、最も過去の周波数データに新たな周波数データを上書きしてもよい。
【００１１】
記憶制御部は、周波数データと共に電波形式を示すモードデータも記憶部に記憶してもよい。
【００１２】
操作部は、回動可能なロータリーエンコーダであり、周波数変更部は、ロータリーエンコーダの回転量に基づく変化量で、その回転方向に応じて周波数データが示す周波数を増減してもよい。
【００１３】
上記課題を解決するために、本発明の無線機の周波数記憶読出方法は、無線信号を電気信号に変換し、周波数データが示す周波数に対応する電気信号を抽出し、ユーザによる増減操作に応じて周波数データを変更し、周波数データが所定時間変更されなかった場合、周波数データを記憶部に記憶し、ユーザによる読み出し操作に応じて、記憶部に記憶した周波数データを読み出すことを特徴とする。
【発明の効果】
【００１４】
本発明の無線機は、ユーザが意識せずとも、無線信号受信のための同調操作で一度設定された周波数を自動的に記憶することができ、以前の通信状態を再現することが可能となる。したがって、同調操作において、周波数を記憶するための手動の操作入力を失念してもその周波数に戻ることができる。
【図面の簡単な説明】
【００１５】
【図１】無線機の電気的な構成を示した機能ブロック図である。
【図２】受信回路の概略的な構成を示した機能ブロック図である。
【図３】操作部の一例を示した説明図である。
【図４】無線機の周波数記憶読出方法の処理の流れを示すフローチャートである。
【図５】無線機の周波数記憶読出方法の処理の流れを示すフローチャートである。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
（無線機１００）
図１は、無線機１００の電気的な構成を示した機能ブロック図である。無線機１００は、アンテナ１１０（１１０ａ、１１０ｂ）と、受信回路１１２と、信号出力部１１４と、マイクロホン１１６と、送信回路１１８と、操作部１２０と、タイマ１２２と、表示部１２４と、記憶部１２６と、中央制御部１２８とを含んで構成される。
【００１８】
アンテナ１１０は、利用する周波数帯域に応じて複数種類（本実施形態では２本）設けられ、無線信号（電磁波）を電気信号に変換するため、または、電気信号を無線信号として放射するために用いられる。
【００１９】
受信回路１１２は、アンテナ１１０で受信した無線信号を電気信号に変換し、内部的に保持されている周波数データが示す周波数に対応する電気信号を抽出する。
【００２０】
図２は、受信回路１１２の概略的な構成を示した機能ブロック図である。無線信号がアンテナ１１０を通じて受信されると、帯域通過フィルタ（ＢＰＦ：Band Pass Filter）１５２を通じて所望する周波数帯域のＲＦ（Radio Frequency）信号のみが抽出され、ＡＧＣ（Automatic Gain Control）アンプ１５４によって信号レベルが一定になるようにゲインが調整される。
【００２１】
周波数シンセサイザ１５６は、ＰＬＬ（Phase Locked Loop）技術に基づく分周器や位相比較器から構成され、後述する周波数設定部１３４を通じて、周波数データが示す周波数の信号を出力する。周波数シンセサイザ１５６から出力された信号は、ＡＧＣアンプ１５４で信号レベルが一定になったＲＦ信号とミキサ１５８で掛け合わされ、生成された和信号成分と差信号成分のうち帯域通過フィルタ１６０によって差信号成分であるＩＦ（Intermediate Frequency）信号のみが抽出される。こうして、生成されたＩＦ信号は、ＩＦ集積回路（ＩＦＩＣ）１６２において目的のベースバンド信号が抽出され、出力アンプ１６４を通じて信号出力部１１４に出力される。
【００２２】
信号出力部１１４は、例えばスピーカやヘッドホンで構成され、受信回路１１２で抽出された電気信号を例えば音声として出力する。
【００２３】
マイクロホン１１６は、コンデンサマイク、ダイナミックマイク、リボンマイク、圧電マイク、カーボンマイク等で構成され、音声等の空気振動を電気信号に変換する。
【００２４】
送信回路１１８は、受信回路１１２と同様に構成され、マイクロホン１１６で変換された音声等の電気信号を、周波数データが示す周波数に対応する電気信号に重畳し、アンテナ１１０を通じて出力する。以下では、理解を容易にするため、受信回路１１２の動作を挙げて説明しているが、当然送信回路１１８についても同様の動作が適用できることは言うまでもない。
【００２５】
操作部１２０は、摘み、押圧スイッチ、十字キー、ジョイスティック、表示部１２４に重畳されたタッチパネル等で構成され、例えば、周波数データ（周波数データが示す周波数）の増減操作や周波数データの読み出し操作といったユーザの操作入力を受け付ける。図３は、操作部１２０の一例を示した説明図である。ここでは、操作部１２０の一部として、回動可能な摘み１７０と、摘み１７０に連動して回動可能なインクリメンタル方式のロータリーエンコーダ１７２と、パルスカウンタ１７４とが設けられ、ユーザによる周波数の増減操作を受け付ける。パルスカウンタ１７４は、ロータリーエンコーダ１７２から出力される、位相が９０度異なる２相のエンコード信号を通じて摘み１７０の回転量と回転方向とを導出する。そしてパルスカウンタ１７４は、導出した摘み１７０の回転量と回転方向を中央制御部１２８に出力する。このように、ユーザは、摘み１７０を回動するのみといった容易な増減操作で、受信する周波数を調整することができる。
【００２６】
また、操作部１２０としての２つの押圧スイッチ（ＵＰスイッチ、ＤＯＷＮスイッチ）を通じて、ユーザによる周波数の増減操作を受け付けることもできる。この場合、押圧スイッチの一方（ＵＰスイッチ）が周波数のインクリメントスイッチとして機能し、他方（ＤＯＷＮスイッチ）が周波数のデクリメントスイッチとして機能する。これらの押圧スイッチを短時間押圧すると、所定周波数単位、例えば１Ｈｚ単位で周波数が増減し、長時間押圧すると（所謂長押しすると）、これより大きい周波数単位、例えば１０Ｈｚ単位で周波数が増減する。
【００２７】
タイマ１２２は、図示しない基準クロックを用いて、所定時間の計時を実行する。例えば、タイマ１２２は、後述する記憶制御部１３８のリセット信号に応じて計時を開始し、計時された値を逐次中央制御部１２８に出力する。計時すべき所定時間が予め定められている場合、タイマ１２２は、その所定時間に達すると、リセット信号が生じるまで計時を停止してもよいし、所定時間を超えて計時し続けてもよい。
【００２８】
表示部１２４は、液晶ディスプレイ、有機ＥＬ(Electro Luminescence)ディスプレイ、ドットマトリクスＬＥＤ（Light Emitting Diode）、７セグメントＬＥＤ等で構成され、後述する表示制御部１３２の制御指令に基づいて、例えば、現在受信している無線信号の周波数（周波数データが示す周波数）を表示する。
【００２９】
記憶部１２６は、ＨＤＤ（Hard Disk Drive）、フラッシュメモリ、不揮発性ＲＡＭ（Random Access Memory）等で構成され、記憶制御部１３８の制御指令に基づいて、周波数データを所定の上限数まで保持する。
【００３０】
中央制御部１２８は、中央処理装置（ＣＰＵ）や信号処理装置（ＤＳＰ：Digital Signal Processor）、プログラム等が格納されたＲＯＭ、ワークエリアとしてのＲＡＭ等を含む半導体集積回路により、無線機１００全体を管理および制御する。また、中央制御部１２８は、表示制御部１３２と、周波数設定部１３４と、周波数変更部１３６と、記憶制御部１３８と、周波数読出部１４０としても機能する。
【００３１】
表示制御部１３２は、現在受信回路１１２に用いられている周波数データを表示部１２４に出力し、その周波数データが示す周波数を表示させる。ユーザは、かかる周波数を視認しつつ、周波数の増減操作を実行することで、大凡目的とする周波数を設定することができる。
【００３２】
周波数設定部１３４は、周波数データが示す周波数を受信回路１１２の周波数シンセサイザ１５６に設定する。また、利用する周波数帯域に応じて、アンテナ１１０ａ、１１０ｂの切換を要する場合、その切換を指示する。こうして、受信回路１１２では、設定された周波数に対応する電気信号が抽出される。
【００３３】
周波数変更部１３６は、操作部１２０を通じたユーザによる増減操作に応じて、受信回路１１２に用いられている周波数データを変更する。例えば、ユーザが摘み１７０を増減操作すると、周波数変更部１３６は、摘み１７０に連動して回転するロータリーエンコーダ１７２の回転量に基づく変化量で、その回転方向に応じて周波数データが示す周波数を増減（例えば、時計回りに回動すると周波数を加算、逆時計回りに回動すると周波数を減算）する。
【００３４】
記憶制御部１３８は、受信回路１１２に用いられている周波数データが、周波数変更部１３６によって、タイマ１２２で計時される所定時間変更されなかった場合、受信回路１１２に用いられている周波数データを記憶部１２６に記憶する。具体的に、記憶制御部１３８は、ユーザによる増減操作の有無を監視し、その増減操作により周波数変更部１３６が機能すると、所定時間の計時をリセットすべくリセット信号をタイマ１２２に送信する。また、増減操作が所定時間行われなかった場合、すなわち、リセット信号が送信されないままタイマ１２２の計時が所定時間に達した場合、記憶制御部１３８は、新たな増減操作をトリガにそのとき受信回路１１２に用いられている周波数データを記憶部１２６に記憶する。ここで、記憶制御部１３８は、所定時間に達した後、新たな増減操作を通じて周波数データを記憶部１２６に記憶しているが、かかる場合に限らず、所定時間に達したことのみにより周波数データを記憶部１２６に記憶してもよい。
【００３５】
また、ここでは、記憶制御部１３８が増減操作や周波数変更部１３６を監視する例を挙げて説明したが、かかる場合に限られず、例えば、記憶制御部１３８が周波数設定部１３４の設定動作や周波数シンセサイザ１５６の動作を監視することで、周波数データの変更を検知することもできる。
【００３６】
また、記憶制御部１３８は、周波数データを記憶部１２６に記憶すると、周波数変更部１３６によって新たに変更された周波数データが示す周波数と、記憶部１２６に記憶された周波数データが示す周波数との差分が所定の周波数範囲を越えるまで、所定時間の計時を進行させないまたは開始させない。具体的に、周波数データが記憶され、さらにユーザによる増減操作に応じて周波数データが変更されると、記憶制御部１３８は、その変更された周波数データが示す周波数と、記憶部１２６に記憶された最新の周波数データが示す周波数との差分を導出し、その導出した値と所定の周波数範囲とを比較して導出した値が所定の周波数範囲より小さい間は、タイマ１２２をリセットし続けて、所定時間の計時を進行させない。そして、記憶制御部１３８は、導出した値が所定の周波数範囲を超えたら所定時間の計時を進行させる。
【００３７】
こうすることで、設定された周波数と実質的に等しい周波数と見なせる所定の周波数範囲の微調整に対して、周波数データが重複して記憶されるのを回避でき、記憶部１２６の記憶領域の無用な占有を防止することが可能となる。また、実質的に等しい周波数が複数記憶され、後述する周波数の読み出し操作において不要に選択肢が増える事態を回避することもできる。
【００３８】
記憶制御部１３８は、所定時間が経過し周波数データを記憶する際、記憶部１２６に記憶された周波数データが上限数に達している場合、すなわち、周波数データの記憶領域として許容される数に達している場合、最も過去の周波数データに新たな周波数データを上書きする。
【００３９】
アマチュア無線通信を行う場合、上述したように、同調操作を通じて目的の無線局を選んでから、または、空いている周波数を探してから、無線通信を開始する周波数を決めている。このような無線通信を開始する際に何度も同調操作を繰り返す場合、以前設定した周波数の中でも、現在の周波数の空き状態が反映された比較的新しい周波数が必要になることが多い。したがって、新たな周波数データが生じると、優先順位の低い最も過去の周波数データを削除してその領域を確保し、そこに新たな周波数データを記憶することで、記憶部１２６の記憶領域を有効利用することができる。
【００４０】
さらに、記憶制御部１３８は、周波数データが周波数変更部１３６によって所定時間変更されなかった場合、周波数データと共にモードデータやアンテナデータも記憶部１２６に記憶する。モードデータは、無線通信の電波形式であり、例えば、ＡＭ、ＦＭ、ＦＳＫ（Frequency Shift Keying）、ＣＷ（Continuous Wave）、ＵＳＢ（Upper Sideband）、ＬＳＢ（Lower Sideband）等を含む。また、アンテナデータは、周波数帯域に応じて選択されたアンテナ、例えば、アンテナ１１０ａまたは１１０ｂの識別子（ANT1、ANT2）である。さらに、記憶制御部１３８は、送信回路１１８に関して、周波数データと共に送信パワー（TX Power）を記憶することもできる。このように、モードデータやアンテナデータも記憶することで、ユーザは、周波数のみならず、その周波数を設定した時の電波形式や使用アンテナを参照することが可能となる。
【００４１】
周波数読出部１４０は、操作部１２０を通じたユーザによる読み出し操作に応じて、記憶部１２６に記憶された周波数データを読み出す。ここでは、記憶制御部１３８によって自動的に記憶された周波数が再度読み出され、以後の様々な処理に用いられる。例えば、周波数設定部１３４が、周波数読出部１４０が読み出した周波数データが示す周波数を周波数シンセサイザ１５６に設定したり、周波数読出部１４０が、読み出した周波数データを現在の周波数データと置き換えたりする。
【００４２】
かかる構成により、手動で増減操作を何度も実行する無線機１００に対して、煩わしくなりがちな周波数を記憶するための手動の操作入力をユーザが行わなくても、一度設定された周波数を再現することが可能となる。したがって、同調操作において、周波数を記憶するための操作入力を失念したとしてもその周波数に戻ることができる。
【００４３】
また、記憶部１２６に複数の周波数データが記憶されている場合、周波数読出部１４０は、操作部１２０を通じた増減操作に応じて、その複数の周波数データの中から１の周波数データをユーザに選択させる。例えば、周波数読出部１４０は、操作部１２０を通じてユーザによる読み出し操作を受け付けると、記憶部１２６に記憶された周波数データを読み出し、操作部１２０の増減操作に応じて、読み出す周波数データを時系列に（例えば、増操作で古い周波数データに、減操作で新しい周波数データに）順次変更して、読み出した周波数データが示す周波数を表示部１２４に表示させる。ここで、他の押圧スイッチ（決定スイッチ）を通じた決定操作が為されると、そのときに表示された周波数を示す周波数データが以後の処理に用いられる。こうして、周波数データが複数ある場合においても、ユーザは、過去における適切な周波数を抽出することが可能となる。
【００４４】
（無線機の周波数記憶読出方法）
さらに、上述した無線機１００を用いて周波数を記憶し、その記憶された周波数を読み出す周波数記憶読出方法も提供される。図４および図５は、無線機の周波数記憶読出方法の処理の流れを示すフローチャートである。特に、図４では、周波数データが記憶部１２６に記憶される処理を、図５では、その記憶された周波数データを読み出す処理を説明している。
【００４５】
当該無線機１００では、受信回路１１２が、無線信号を電気信号に変換し、周波数データが示す周波数に対応する電気信号を抽出して、信号出力部１１４がその抽出した電気信号を出力している。初期状態において、周波数範囲判定のための判定フラグと、周波数データの記憶許可のための許可フラグはいずれもリセットされているとする。
【００４６】
図４に示すように、操作部１２０の特に摘み１７０に対するユーザによる増減操作を検出すると（Ｓ２００におけるＹＥＳ）、周波数変更部１３６は、その増減操作に応じて、周波数データを変更する（Ｓ２０２）。すると周波数設定部１３４によりその周波数データが示す周波数が受信回路１１２の周波数シンセサイザ１５６に設定され、受信回路１１２では、その周波数の電気信号を抽出することができる。そして、タイマ１２２がリセットされる（Ｓ２０４）。かかるタイマ１２２は、常に計時し続けており、所定時間に達するとリセットされるまで所定時間の計時を停止する。ここでは、まだ許可フラグがセットされていないので（Ｓ２０６におけるＮＯ）、増減操作検出ステップＳ２００を繰り返す。
【００４７】
ユーザの増減操作を検出していない間（Ｓ２００におけるＮＯ）、記憶制御部１３８は、周波数データと前回データ（直前に記憶部１２６に記憶した周波数データ）との差分が所定の周波数範囲内であり、かつ、周波数範囲判定のための判定フラグがセットされているか否かを判定し（Ｓ２０８）、差分が所定の周波数範囲内であり、かつ、判定フラグがセットされていれば（Ｓ２０８におけるＹＥＳ）、タイマ１２２をリセットして所定時間の計時を進行させない（Ｓ２１０）。
【００４８】
このとき、増減操作に応じて周波数データが変更され、前回データとの差分が所定の周波数範囲を越えると（Ｓ２０８におけるＮＯ）、記憶制御部１３８は、判定フラグをリセットする（Ｓ２１２）。このように判定フラグがリセットされることで、たとえ周波数データが前回データの所定の周波数範囲内に再度戻ったとしても所定範囲判定ステップＳ２０８において判定フラグがセットされていない（ＮＯ）と判定されるので、タイマ１２２のリセットが行われず、結果的に所定時間の計時が進行する。
【００４９】
続いて、記憶制御部１３８は、タイマ１２２を参照して、リセットされてから所定時間が経過したか否か判定し（Ｓ２１４）、所定時間が経過しない間（Ｓ２１４におけるＮＯ）、増減操作検出ステップＳ２００を繰り返す。所定時間が経過すると（Ｓ２１４におけるＹＥＳ）、記憶制御部１３８は、周波数データが周波数変更部１３６によって所定時間変更されなかったと判断し、そのときの周波数データを前回データの候補として一旦保持し（Ｓ２１６）、周波数データの記憶処理を許可するため許可フラグをセットすると共に（Ｓ２１８）、所定範囲判定ステップＳ２０８を有効にするため、判定フラグをセットする（Ｓ２２０）。こうして、周波数データを記憶するための増減操作のトリガ待ち状態に移行する。
【００５０】
所定時間が経過した後に増減操作が検出されると（Ｓ２００におけるＹＥＳ）、今度は、許可フラグがセットされているので（Ｓ２０６におけるＹＥＳ）、記憶制御部１３８は、記憶領域に空きがあるか否か判定して（Ｓ２２２）、空き領域があれば（Ｓ２２２におけるＹＥＳ）、空き領域に、前回データ候補として保持されている周波数データを記憶し（Ｓ２２４）、空き領域がなければ（Ｓ２２２におけるＮＯ）、最も過去の周波数データに、この保持されている新たな周波数データを上書きする（Ｓ２２６）。
【００５１】
そして、記憶制御部１３８は、前回データとして当該記憶された周波数データを設定し（Ｓ２２８）、周波数データの重複記憶を回避すべく許可フラグをリセットする（Ｓ２３０）。
【００５２】
このようにして周波数データが記憶部１２６に記憶されると、ユーザは、異なるタイミングでこの記憶された周波数データを読み出すことができる。図５に示すように、周波数読出部１４０は、ユーザによる周波数データの読み出し操作を検出すると（Ｓ２５０におけるＹＥＳ）、記憶部１２６に記憶された最新の周波数データを読み出し（Ｓ２５２）、表示部１２４に表示させる（Ｓ２５４）。このとき、ユーザによる増減入力を検出すると（Ｓ２５６におけるＹＥＳ）、周波数読出部１４０は、その増減入力に応じ、周波数データの記憶されているアドレスを１つずつ古い方、または新しい方に順次変更して、そのアドレスに対応する周波数データを読み出し（Ｓ２５８）、表示部１２４に表示させる（Ｓ２６０）。
【００５３】
ユーザの増減操作を検出していない間に（Ｓ２５６おけるＮＯ）、ユーザの決定操作を検出すると（Ｓ２６２におけるＹＥＳ）、周波数設定部１３４は、その周波数データが示す周波数を受信回路１１２の周波数シンセサイザ１５６に設定し（Ｓ２６４）、受信回路１１２では、その周波数の電気信号を抽出することができる。そして、読み出し操作検出ステップＳ２５０を繰り返す。また、ユーザの決定操作を検出するまでは（Ｓ２６２におけるＮＯ）、増減操作検出ステップＳ２５６を繰り返す。
【００５４】
かかる無線機の周波数記憶読出方法においても、ユーザが意識せずとも、無線信号受信のための同調操作で一度設定された周波数を自動的に記憶することができ、以前の通信状態を再現することが可能となる。したがって、同調操作において、周波数を記憶するための手動の操作入力を失念してもその周波数に戻ることができる。
【００５５】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５６】
なお、本明細書の無線機の周波数記憶読出方法における各工程は、必ずしもフローチャートとして記載された順序に沿って時系列に処理する必要はなく、並列的あるいはサブルーチンによる処理を含んでもよい。
【産業上の利用可能性】
【００５７】
本発明は、無線信号を電気信号に変換し、任意の周波数に対応する電気信号を抽出する無線機および無線機の周波数記憶読出方法に利用することができる。
【符号の説明】
【００５８】
１００  …無線機
１１２  …受信回路
１１４  …信号出力部
１２０  …操作部
１２６  …記憶部
１３２  …表示制御部
１３６  …周波数変更部
１３８  …記憶制御部
１４０  …周波数読出部
１７２  …ロータリーエンコーダ
【図１】
2011188420.tif 000003
【図２】
2011188420.tif 000004
【図３】
2011188420.tif 000005
【図４】
2011188420.tif 000006
【図５】
2011188420.tif 000007